(57)【要約】本発明は、凸面および反対側の凹面を有し、凸面および凹面の一方が交互に配置された遠用度数と近用度数の部分を含み、ひとつ以上の遠用度数の部分が円柱度数を有する、眼用レンズを含む。
2004507794.tif 000002
【特許請求の範囲】
【請求項１】
凸面および凹面を含む眼用レンズであって、
上記凸面および上記凹面の一方は、
遠用の球面度数および円柱度数を有する中心部分と、
（ａ）遠用の球面および円柱度数、（ｂ）近用度数、および（ｃ）遠用の球面度数を要素とする集合から選択されたひとつの要素を有する少なくともひとつの環状リング部分と
を有する、眼用レンズ。
【請求項２】
凹面が、中心部分と少なくともひとつの同中心の環状リング部分とを有する、請求項１記載の眼用レンズ。
【請求項３】
少なくともひとつの環状リング部分が、遠用の球面および円柱度数を有する２個の環状リング部分、および近用度数を有する３個の環状リング部分からなる５個の環状リング部分を含む、請求項２記載の眼用レンズ。
【請求項４】
少なくともひとつの環状リング部分が、遠用の球面および円柱度数を有する１個の環状リング部分、遠用の球面度数を有する１個の環状リング部分、および近用度数を有する３個の環状リング部分からなる５個の環状リング部分を含む、請求項２記載の眼用レンズ。
【請求項５】
少なくともひとつの環状リング部分が、遠用の球面度数を有する２個の環状リング部分、および近用度数を有する３個の環状リング部分からなる５個の環状リング部分を含む、請求項２記載の眼用レンズ。
【請求項６】
少なくともひとつの環状リング部分が、遠用の球面および円柱度数を有する２個の環状リング部分、および近用度数を有する２個の環状リング部分からなる４個の環状リング部分を含む、請求項２記載の眼用レンズ。
【請求項７】
少なくともひとつの環状リング部分が、遠用の球面および円柱度数を有する１個の環状リング部分、遠用の球面度数を有する１個の環状リング部分、および近用度数を有する２個の環状リング部分からなる４個の環状リング部分を含む、請求項２記載の眼用レンズ。
【請求項８】
少なくともひとつの環状リング部分が、遠用の球面度数を有する２個の環状リング部分、および近用度数を有する２個の環状リング部分からなる４個の環状リング部分を含む、請求項２記載の眼用レンズ。
【請求項９】
コンタクトレンズからなる、請求項１記載の眼用レンズ。
【請求項１０】
各々が凸面および凹面を有する一対の眼用レンズを提供する過程を有する、乱視を伴った老眼の人の視力を矯正する方法であって、
上記凸面および上記凹面の一方は、
遠用の球面および円柱度数を有する中心部分と、
（ａ）遠用の球面および円柱度数、（ｂ）近用度数、および（ｃ）遠用の球面度数を要素とする集合から選択されたひとつの要素を有する少なくともひとつの同中心の環状リング部分と
を有する、乱視を伴った老眼の人の視力を矯正する方法。
【請求項１１】
凸面および凹面を有する眼用レンズを設計する過程を有する、乱視を伴った老眼の人の視力を矯正するためのレンズの設計方法であって、
上記凸面および上記凹面の一方は、
遠用の球面および円柱度数を有する中心部分と、
（ａ）遠用の球面および円柱度数、（ｂ）近用度数、および（ｃ）遠用の球面度数を要素とする集合から選択されたひとつの要素を有する少なくともひとつの同中心の環状リング部分と
を有する、乱視を伴った老眼の人の視力を矯正するためのレンズの設計方法。
【請求項１２】
凸面および凹面を有する眼用レンズであって、
上記凸面および上記凹面の一方は、
遠用の球面度数を有する中心部分と、
遠用の球面および円柱度数を有する少なくともひとつの同中心の環状リング部分と
を有する、眼用レンズ。
【請求項１３】
少なくともひとつの環状リング部分が、遠用の球面および円柱度数を有する２個の環状リング部分、および近用度数を有する３個の環状リング部分からなる５個の環状リング部分を含む、請求項１２記載の眼用レンズ。
【請求項１４】
少なくともひとつの環状リング部分が、遠用の球面および円柱度数を有する２個の環状リング部分、および近用度数を有する２個の環状リング部分からなる４個の環状リング部分を含む、請求項１２記載の眼用レンズ。
【請求項１５】
少なくともひとつの環状リング部分が、遠用の球面および円柱度数を有する１個の環状リング部分、遠用の球面度数を有する１個の環状リング部分、および近用度数を有する２個の環状リング部分からなる４個の環状リング部分を含む、請求項１２記載の眼用レンズ。
【請求項１６】
コンタクトレンズからなる、請求項１２記載の眼用レンズ。
【請求項１７】
各々が凸面および凹面を有する一対の眼用レンズを提供する過程を有する、乱視を伴った老眼の人の視力を矯正する方法であって、
上記凸面および上記凹面の一方は、
遠用の球面度数を有する中心部分と、
遠用の球面および円柱度数を有する少なくともひとつの同中心の環状リング部分と
を有する、乱視を伴った老眼の人の視力を矯正する方法。
【請求項１８】
凸面および凹面を有する眼用レンズを設計する過程を有する、乱視を伴った老眼の人の視力を矯正するためのレンズの設計方法であって、
上記凸面および上記凹面の一方は、
遠用の球面度数を有する中心部分と、
遠用の球面および円柱度数を有する少なくともひとつの同中心の環状リング部分と
を有する、乱視を伴った老眼の人の視力を矯正するためのレンズの設計方法。
【請求項１９】
凸面および凹面を有する眼用レンズであって、
上記凸面および上記凹面の一方は、
近用度数を有する中心部分と、
遠用の球面および円柱度数を有する少なくともひとつの同中心の環状リング部分と
を有する、眼用レンズ。
【請求項２０】
少なくともひとつの環状リング部分が、遠用の球面および円柱度数を有する３個の環状リング部分、および近用度数を有する２個の環状リング部分からなる５個の環状リング部分を含む、請求項１９記載の眼用レンズ。
【請求項２１】
少なくともひとつの環状リング部分が、遠用の球面および円柱度数を有する２個の環状リング部分、および近用度数を有する２個の環状リング部分からなる４個の環状リング部分を含む、請求項１９記載の眼用レンズ。
【請求項２２】
少なくともひとつの環状リング部分が、遠用の球面および円柱度数を有する２個の環状リング部分、遠用の球面度数を有する１個の環状リング部分、および近用度数を有する２個の環状リング部分からなる５個の環状リング部分を含む、請求項１９記載の眼用レンズ。
【請求項２３】
コンタクトレンズからなる、請求項１２記載の眼用レンズ。
【請求項２４】
各々が凸面および凹面を有する一対の眼用レンズを提供する過程を有する、乱視を伴った老眼の人の視力を矯正する方法であって、
上記凸面および上記凹面の一方は、
近用度数を有する中心部分と、
遠用の球面および円柱度数を有する少なくともひとつの同中心の環状リング部分と
を有する、乱視を伴った老眼の人の視力を矯正する方法。
【請求項２５】
凸面および凹面を有する眼用レンズを設計する過程を有する、乱視を伴った老眼の人の視力を矯正するためのレンズの設計方法であって、
上記凸面および上記凹面の一方は、
近用度数を有する中心部分と、
遠用の球面および円柱度数を有する少なくともひとつの同中心の環状リング部分とを有する、レンズの設計方法。
【発明の詳細な説明】
【０００１】
【発明の属する技術分野】
本発明は、眼用レンズ（ｏｐｈｔｈａｌｍｉｃ ｌｅｎｓｅｓ）に関する。より詳しくは、本発明は、老眼（ｐｒｅｓｂｙｏｐｉａ）および乱視（ａｓｔｉｇｍａｔｉｓｍ）を矯正するのに有益なレンズを提供する。
【０００２】
【従来の技術】
個人が加齢するにしたがって、眼は観測者（その個人）の比較的近くの物体に焦点を合わせるために生来の水晶体を調節または曲げる能力が低くなる。このような状態は、老眼として知られている。典型的には加齢した患者は老眼、乱視、近視（ｍｙｏｐｉａ）、および遠視（ｈｙｐｅｒｍｅｔｒｏｐｉａ）のさまざまな組合せを有し、これらの患者にコンタクトレンズを適合させることはひとつの挑戦である。特に、乱視と老眼を有する患者の視力を矯正することは難しく、この課題を解決するためのさまざまな方法が長年に亘って示唆されてきた。
【０００３】
ひとつの公知の方法は、球面遠用度数の処方（ｓｐｈｅｒｉｃａｌ ｄｉｓｔａｎｃｅ ｐｏｗｅｒ ｐｒｅｓｃｒｉｐｔｉｏｎ）、球面近用度数の処方（ｓｐｈｅｒｉｃａｌ ｎｅａｒ ｐｏｗｅｒ ｐｒｅｓｃｒｉｐｔｉｏｎ）、および円柱度数（ｃｙｌｉｎｄｒｉｃａｌ ｐｏｗｅｒ）を考慮した第３の球面度数に対応した一連の交互の球面度数を有し円柱面を用いないコンタクトレンズを用いるものである。この課題に対する他の解決方法は、角膜のまたは水晶体の乱視を矯正するための多焦点トーリックレンズを老眼の矯正と組み合わせたものである。このコンタクトレンズは前面および反対側の後面を有し、前面および後面の何れか一方は交互に配置された近用度数と遠用度数を備えて乱視を矯正する多焦点環状トーリックリングを有する。
【０００４】
これらのレンズは乱視を伴う老眼の人の視力を改善するが、少なくともひとつの課題を有する。両方のコンタクトレンズとも近用視力（ｎｅａｒ ｖｉｓｉｏｎ）および遠用視力（ｆａｒ ｖｉｓｉｏｎ）の両方で乱視を矯正している。近用度数が加入される場合、遠用度数にはさらに度数が加入されることになる。円柱度数を遠用度数と近用度数の両方に加入することにより、近用度数の正（凸）の値は大きな負（凹）の円柱度数によって部分的に打ち消されてしまう。したがって、近用視力での乱視を不必要に矯正することなく遠用視力での乱視を矯正する乱視を伴う老眼の人に使用できるコンタクトレンズが必要とされている。この必要性が本発明の眼用レンズが解決しようとする課題である。
【０００５】
【発明の実施の形態】
本発明は、乱視を伴う老眼の人の視力を矯正するのに適した眼用レンズを提供する。より詳しくは、本発明は、凸面および凹面を含む眼用レンズを含み、本質的に上記眼用レンズからなり、または上記眼用レンズからなり、凸面および凹面の一方は、遠用の球面度数および円柱度数を有する中心部分と、（ａ）遠用の球面および円柱度数、（ｂ）近用度数、および（ｃ）遠用の球面度数を要素とする集合から選択されたひとつの要素を有する少なくともひとつの環状リング部分とを有する。
【０００６】
本明細書では、「眼用レンズ」はコンタクトレンズ、眼内レンズ、およびそれらの類似物を意味し、好ましい眼用レンズはコンタクトレンズであり、エタフィルコンＡ（ｅｔａｆｉｌｃｏｎ Ａ）などのヒドロゲルで作られたソフトコンタクトレンズがより好ましい。これらのレンズおよび材料は当業者に知られている。これらの材料の例が、米国特許第５，６８１，１１４号明細書、同第５，８０９，２６０号明細書、同第５，８９８，４７３号明細書、同第５，８６４，３７９号明細書、および同第５，８１２，２３６号明細書に記載されていて、これらの米国特許明細書はヒドロゲルの処方に関して引用文献として参照される。
【０００７】
用語「凹面」および「凸面」は、各々、レンズの後面および前面を意味する。他の場合、凹面は後面の曲率を、凸面は前面の曲率を、各々、意味し、一般の著書ではそのような意図でそれらの用語が用いられている。本発明の眼用レンズの一方の面は、中心部分と少なくともひとつの環状リング部分とを含む。中心部分および環状リング部分を含む面が凹面であることが好ましい。本発明の眼用レンズのもう一方の面は、適合度（ｆｉｔ）を制御するための周縁の環状部で包囲された通常の球面または非球面領域、または適合度を制御するための所定の厚みを有する通常の球面または非鏡面領域を含む。もう一方の面は適合度を制御するための所定の厚みを有する凸面であることが好ましい。
【０００８】
用語「中心部分」は眼用レンズの中心の部分を意味する。「同中心の環状リング部分」は中心部分を包囲するリング部分を意味する。用語「遠用の球面および円柱度数」は装着者の遠用視力を所望の程度に矯正するのに必要な球面コンポーネントと円柱コンポーネントとを有する屈折力の大きさを意味する。用語「近用度数」は装着者の近用視力を所望の程度に矯正するのに必要な屈折力の大きさで円柱コンポーネントを含まないものを意味する。用語「遠用の球面度数」は装着者の遠用視力を所望の程度に矯正するのに必要な屈折力の大きさで球面コンポーネントを含み円柱コンポーネントを含まないものを意味する。少なくともひとつの同中心の環状リング部分が近用度数を有することが望ましい。
【０００９】
本発明の眼用レンズは少なくともひとつの同中心の環状リング部分を含むことが必要であるが、眼用レンズは実質的に４個から２０個の同中心の環状リング部分を含んでよい。環状リング部分の個数は実質的に４から７までであることが望ましい。環状リング部分は、近用度数のリング部分が遠用度数のリング部分とに隣接して交互に配置されていることも好ましい。例えば、本発明の眼用レンズがひとつの中心部分と２つの環状リング部分とを有する場合、中心部分は遠用の球面および円柱度数を有し、第１の環状リング部分は中心部分に隣接して中心部分と同中心で、近用度数を有し、第２の環状リング部分は第１の環状リングに隣接して第１の環状リング部分と同中心で、遠用の球面および円柱度数を有する。遠用度数のリング部分の全てが円柱度数を有する必要はなく、少なくとも３つの遠用度数のリング部分が円柱度数を有することが好ましい。
【００１０】
遠用度数のリング部分とは異なり、全ての近用度数のリング部分は球面度数のみを有する。乱視は通常近用視力および遠用視力に影響するが、人の視力を適切に矯正するのに近用視力および遠用視力の両方を矯正する必要はない。近用視力での乱視を矯正しなくても、患者は新聞紙面の寸法の印刷物を読むなどの日常的な作業を行うことができる。さらに、患者によっては、近用帯での過度の円柱度数が視力にとって有害なことがある。
【００１１】
リング部分および中心部分の寸法は、患者の瞳孔の寸法に関係している。この関係は当業者に知られていて、米国特許第５，９２９，９６９号明細書に記載されており、この米国特許明細書はその全体が参照文献として引用される。
【００１２】
さらに、本発明は、凸面および凹面を有する眼用レンズを含み、本質的に上記眼用レンズからなり、または上記眼用レンズからなり、凸面および凹面の一方は、近用度数を有する中心部分と、遠用の球面および円柱度数を有する少なくともひとつの同中心の環状リング部分とを有する。用語「眼用レンズ」、「凹面」、「凸面」、「中心部分」、「同中心の環状リング部分」、「遠用の球面および円柱度数」、「近用度数」、および「遠用の球面度数」は、全て上述された意味を有し、上述された好ましい範囲を有する。
【００１３】
さらに、本発明は、凸面および凹面を有する眼用レンズを含み、本質的に上記眼用レンズからなり、または上記眼用レンズからなり、凸面および凹面の一方は、遠用の球面度数を有する中心部分と、遠用の球面および円柱度数を有する少なくともひとつの同中心の環状リング部分とを有する。用語「眼用レンズ」、「凹面」、「凸面」、「中心部分」、「同中心の環状リング部分」、「遠用の球面および円柱度数」、「近用度数」、および「遠用の球面度数」は、全て上述された意味を有し、上述された好ましい範囲を有する。
【００１４】
図１および図２は、３つの遠用の環状リング部分が球面度数および円柱度数を有する本発明の実施の形態を示している図である。図１および図２は、各々、本発明の眼用レンズ１０の後面の平面図および側面図である。凹面１６は凸面１７の反対側にある。凹面１６は、遠用の球面および円柱度数を有する中心部分１１を有する。第１の同中心の環状リング部分１２は近用度数を有する。第３の同中心の環状リグ部分１３および第５の同中心の環状リング部分１５は、遠用の球面および円柱度数を有する。第４の同中心の環状リング部分１４は近用度数を有する。凸面１７は通常の球面または非球面帯であり、眼用レンズの眼に対する適合度を制御するのに十分な厚みを有する。
【００１５】
中心部分のみが遠用の球面度数および円柱度数を有する本発明の他の実施の形態が図３および図４に示されている。図３は眼用レンズ２９の後面の平面図であり、図４は眼用レンズ２９の側面図である。凹面３０は凸面３１の反対側にある。凹面３０は、遠用の球面および円柱度数を有する中心部分３２を有する。第１の同中心の環状リング部分３３は近用度数を有する。第２の同中心の環状リング部分３４および第４の同中心の環状リング部分３６は、遠用球面度数を有する。第３の同中心の環状リング部分３５は近用度数を有する。凸面３１は通常の球面または非球面帯であり、適合度を制御するのに十分な厚みを有する。
【００１６】
本発明の眼用レンズは任意の通常の方法によって製造され、例えば、米国特許第５，８６１，１１４号明細書に記載された方法によって製造され、この米国特許明細書はその全体が参考文献として引用される。例えば、本発明の眼用レンズの環状の領域が、交互に異なる半径を用いてダイヤモンド旋削（ｄｉａｍｏｎｄ−ｔｕｒｎｉｎｇ）によって製造されてよい。その環状の領域は、本発明の眼用リングを製造するのに用いられる金型（ｍｏｌｄ）内にダイヤモンド旋削によって形成されてよい。次に、適切な液体樹脂が金型の間に配置されて、続いて樹脂が圧縮されて硬化され、本発明の眼用レンズが形成される。代わりに、レンズボタン（ｌｅｎｓ ｂｕｔｔｏｎ）がダイヤモンド旋削によって加工されてもよい。
【００１７】
本発明は、各々が凸面および凹面を有する一対の眼用レンズを提供する過程を有する乱視を伴った老眼の人の視力を矯正する方法をさらに含み、凸面および凹面の一方は、遠用の球面および円柱度数を有する中心部分と、（ａ）遠用の球面および円柱度数、（ｂ）近用度数、および（ｃ）遠用の球面度数を要素とする集合から選択されたひとつの要素を有する少なくともひとつの同中心の環状リング部分とを有する。
【００１８】
さらに、本発明は、凸面および凹面を有する眼用レンズを設計する過程を有する乱視を伴った老眼の人の視力を矯正するためのレンズの設計方法を含み、凸面および凹面の一方は、遠用の球面および円柱度数を有する中心部分と、（ａ）遠用の球面および円柱度数、（ｂ）近用度数、および（ｃ）遠用の球面度数を要素とする集合から選択されたひとつの要素を有する少なくともひとつの同中心の環状リング部分とを有する。
【００１９】
本発明は、各々が凸面および凹面を有する一対の眼用レンズを提供する過程を有する乱視を伴った老眼の人の視力を矯正する方法をさらに含み、凸面および凹面の一方は、近用度数を有する中心部分と、遠用の球面および円柱度数を有する少なくともひとつの同中心の環状リング部分とを有する。
【００２０】
本発明は、凸面および凹面を有する眼用レンズを設計する過程を有する乱視を伴った老眼の人の視力を矯正するためのレンズの設計方法をさらに含み、凸面および凹面の一方は、近用度数を有する中心部分と、遠用の球面および円柱度数を有する少なくともひとつの同中心の環状リング部分とを有する。
【００２１】
本発明は、各々が凸面および凹面を有する一対の眼用レンズを提供する過程を有する乱視を伴った老眼の人の視力を矯正する方法をさらに含み、凸面および凹面の一方は、遠用の球面度数を有する中心部分と、遠用の球面および円柱度数を有する少なくともひとつの同中心の環状リング部分とを有する。
【００２２】
本発明は、凸面および凹面を有する眼用レンズを設計する過程を有する乱視を伴った老眼の人の視力を矯正するためのレンズの設計方法をさらに含み、凸面および凹面の一方は、遠用の球面度数を有する中心部分と、遠用の球面および円柱度数を有する少なくともひとつの同中心の環状リング部分とを有する。
【００２３】
実施の形態および実施例は本発明を限定するものではない。実施の形態および実施例は本発明を実施するための方法を示唆しているのみである。これらの実施の形態および実施例の他にも、乱視を伴った老眼の人のための眼用レンズの当業者が行なうことのできる本発明のその他の可能な実施の形態がある。そのような実施の形態も本発明の範囲内にある。
【００２４】
実施例
実施例１
「−３．００，−２．００×９０／＋１．５０」という処方を有する人の視力は、ひとつの中心部分と４つの環状リング部分とを有するエタフィルコンＡのコンタクトレンズによって矯正できる。中心部分は、「−３．００，−２．００×９０」ジオプターの度数を有し、第１の近用環状リング部分は、「−１．５０」ジオプターｓｐｈ（球面）の度数を有し、第２の遠用環状リング部分は、「−３．００」ジオプターｓｐｈ（球面）の度数を有し、第３の近用環状リング部分は、「−１．５０」ジオプターｓｐｈ（球面）の度数を有し、第４の遠用環状リング部分は、「−３．００」ジオプターｓｐｈ（球面）を有する。
【００２５】
実施例２
「−３．００，−２．００×９０／＋１．５０」という処方を有する人の視力は、ひとつの中心部分と４つの環状リング部分とを有するエタフィルコンＡのコンタクトレンズによって矯正できる。中心部分は、「−３．００，−２．００×９０」ジオプターの度数を有し、第１の近用環状リング部分は、「−１．５０」ジオプターｓｐｈ（球面）の度数を有し、第２の遠用環状リング部分は、「−３．００，−２．００×９０」ジオプターｓｐｈ（球面）の度数を有し、第３の近用環状リング部分は、「−１．５０」ジオプターｓｐｈ（球面）の度数を有し、第４の遠用環状リング部分は、「−３．００，−２．００×９０」ジオプターｓｐｈ（球面）を有する。
【図面の簡単な説明】
【図１】本発明の眼用レンズの後面の拡大平面図である。
【図２】本発明の眼用レンズの拡大側面図である。
【図３】本発明の眼用レンズの拡大平面図である。
【図４】本発明の眼用レンズの拡大側面図である。
【符号の説明】
１０　眼用レンズ
１１　中心部分
１２　第１の同中心の環状リング部分
１３　第３の同中心の環状リング部分
１４　第４の同中心の環状リング部分
１５　第５の同中心の環状リング部分
１６　凹面
１７　凸面
２９　眼用レンズ
３０　凹面
３１　凸面
３２　中心部分
３３　第１の同中心の環状リング部分
３４　第２の同中心の環状リング部分
３５　第３の同中心の環状リング部分
３６　第４の同中心の環状リング部分
【国際公開パンフレット】
2004507794.tif 000003
2004507794.tif 000004
2004507794.tif 000005
2004507794.tif 000006
2004507794.tif 000007
2004507794.tif 000008
2004507794.tif 000009
2004507794.tif 000010
2004507794.tif 000011
2004507794.tif 000012
2004507794.tif 000013
2004507794.tif 000014
2004507794.tif 000015
2004507794.tif 000016
2004507794.tif 000017
2004507794.tif 000018
2004507794.tif 000019
2004507794.tif 000020
2004507794.tif 000021
2004507794.tif 000022
2004507794.tif 000023
【国際調査報告】
2004507794.tif 000024
2004507794.tif 000025